(57)【要約】ミラー装置（１０）において、ミラースタイルの交換可能性を許容する共通の枠組み（１４）が使用される。
2004503422.tif 000002
【特許請求の範囲】
【請求項１】
単一の共通支持構造体上に嵌合される交換可能なカバーを備えたミラー装置。
【請求項２】
ミラー装置において、
支持構造体の一部が同支持構造体に交換可能な状態で取り付けられたミラーカバーの外表面と一緒にミラーの外側外観表面の一部を形成することを特徴とするミラー装置。
【請求項３】
交換可能なカバーをミラーハウジングに取り付ける方法において、
ミラーハウジングの外側外観表面となる部分を有するミラー支持枠組みを提供する工程と、実質的に連続的な表面を形成するために上記部分を取り囲むようになった開口をその中に形成したカバー部材であって、ミラーに対して外側カバーを提供するようにミラー支持部材上で摺動できるカバー部材を提供する工程と、上記カバーを上記ミラー支持枠組みに取り付けるために当該ミラー支持枠組み上に上記カバー部材を設置する工程とを有することを特徴とする方法。
【請求項４】
下側の枠組みと、ブラケットのスタイル的な外観を変更するための交換可能な外側カバーとを含む、車両への取り付けのためのブラケット装着部分を提供する工程を更に有することを特徴とする請求項３に記載の方法。
【請求項５】
上記ミラー支持部材及び上記ブラケット装着部分が互いに関して折り畳み可能に取り付けられることを特徴とする請求項４に記載の方法。
【請求項６】
上記折り畳み可能な取り付けが手動折り畳み機構とパワー折り畳みモジュールとの間で交換可能であることを特徴とする請求項５に記載の方法。
【請求項７】
支持部材上に嵌合し、特定のスタイルを選択し、そのスタイルを上記支持部材に取り付けるための複数のミラースタイルを提供する工程を更に有することを特徴とする請求項３に記載の方法。
【請求項８】
上記ミラー支持枠組みが交換可能なミラー制御モジュールを受け入れ、交換可能な支持モジュールを提供し、上記カバー部材を設置する前に上記モジュールを上記ミラー支持構造体内にスナップ嵌合させる部分を備える制御モジュールを有することを特徴とする請求項３に記載の方法。
【請求項９】
外側外観表面となる上記部分が上記ミラーハウジングの底部分を形成することを特徴とする請求項３に記載の方法。
【請求項１０】
ミラー装置において、
車両に取り付けるようになっており、ブラケットを含むブラケット支持体であって、上記ブラケットが同ブラケットにとりつけられ同ブラケットを覆う外側の装飾カバー部分の取り付けのためのものであるようなブラケット支持体と；
上記ブラケットに取り付けられ、ミラー調整モジュールをその中に受け入れるための部分を有し、固定構造体をその上に有するミラー支持部分と；
そこにカバーを固定するための上記固定構造体に対応した共働する構造体を有する外側の装飾輪郭カバー部分と；
を有することを特徴とするミラー装置。
【請求項１１】
上記ミラー支持部分が上記ミラー及び上記カバー部分を支持するための骨格化された支持構造体であることを特徴とする請求項１０に記載のミラー装置。
【請求項１２】
上記支持ブラケット及び上記ミラー支持部分が互いに関して折り畳み可能であることを特徴とする請求項１０に記載のミラー。
【請求項１３】
上記折り畳み機構が手動折り畳み及びパワー折り畳み機構間で交換可能であることを特徴とする請求項１２に記載のミラー装置。
【請求項１４】
上記ミラー部材が上記支持体内で手動で調整できることを特徴とする請求項１０に記載のミラー装置。
【請求項１５】
上記ミラー部材が車両の内部から遠隔的に調整できることを特徴とする請求項１４に記載のミラー装置。
【請求項１６】
上記ミラー部材が車両の内部から電子的に調整できることを特徴とする請求項１０に記載のミラー装置。
【請求項１７】
上記ブラケットの底部分が上記ミラーハウジングの外表面を形成することを特徴とする請求項１に記載のミラー装置。
【請求項１８】
上記支持部材が頂部型の手動調整可能なミラー、電子的に調整可能なミラー、遠隔手動調整可能なミラー又はメモリーを備えた電気的に調整可能なミラーを提供するように挿入される一般的なモジュールを受け入れることを特徴とする請求項１０に記載のミラー装置。
【請求項１９】
上記骨格化された支持構造体が共通に形状づけられた取り付け固定構造体を有する複数の異なるデザインのカバー部分から選択されるカバー部分を許容することを特徴とする請求項１１に記載のミラー装置。
【請求項２０】
交換可能な素子部品を有するミラー装置において、
車両に取り付けるように適合でき、固定構造体を有するブラケット構造体であって、上記固定構造体がブラケットの当該固定構造体への固定のための共通の接続構造体を備えたユニークなデザインを有する複数の外側カバーから選択される外側カバーの取り付けを許容するようなブラケット構造体と；
それに取り付けられたミラーを有するミラー制御モジュールを支持するための骨格化されたミラー支持構造体であって、予め選択された特徴を有する複数のミラー制御モジュールの１つを支持するように形状づけられ、上記支持構造体と両立できる取り付け構造体を有する複数のカバー部材の１つを取り付けるためのカバー取り付け構造体を有する骨格化されたミラー支持構造体と；
上記ブラケットと上記ミラー支持構造体との間で折り畳みを提供するための適合可能な折り畳み機構であって、当該ミラー支持構造体及びブラケット部分の形状を維持しながら、手動折り畳み可能な形状とパワー折り畳み可能な形状との間の形状のために適合できる折り畳み機構と；
を有することを特徴とするミラー装置。
【発明の詳細な説明】
【０００１】
【関連出願】
この出願は、「交換可能な外観カバーを備えたミラー」という名称の２０００年６月１５日付けで出願された仮特許出願第６０／２１１，８４５明細書からの優先権を主張する。
【０００２】
【発明の背景及び概要】
本発明は車両の視界サイドミラーに関する。特に、本発明は交換可能な外観カバーを備え、図面に符号１０で全体を示す視界サイドミラーに関する。
【０００３】
車両の視界サイドミラーの形式、特徴及び機能は現代の自動車及び車両市場において製造者及び消費者の双方にとってますます重要になってきた。典型的には、従来、車両のミラー及びその中の特徴は、部品の交換可能性が少ないとしても、特定のモデルに対して設計される。
【０００４】
特定のミラーデザインは手動で調整可能なミラー又は電気的に調整可能なミラーの如き両方の機械的な特徴を備えた特定の応用に対して特に設計され、スタイル的なデザイン考察が単一の特定のデザインに対して行われる。このようなミラーは十分ではあったが、折り畳み可能、手動調整可能、電気的調整可能等に拘わらず、各型式のデザインに対して別個の製造を必要とする。それ故、スタイル的な又は特徴に関する設計変更はタイムリーな方法で実現するのが困難である。
【０００５】
従って、従来は、典型的には、スタイル的な変更は、外部のスタイル的な変更と共に、内部の素子及び枠組みの全体的な再構築を必要とする。それ故、美的な特徴及び種々のオプションの交換可能性を許容する装置を提供することが望ましくなってきた。好ましくは、装置は一般的なミラー制御モジュールを有し、ミラー組立体に別のスタイル的な外観を提供するように種々のスタイル的なカバーをこのモジュールに取り付けることができる。
【０００６】
【発明の概要】
本発明によれば、共通の支持構造体上に嵌合される交換可能なカバーを有するミラー装置が提供される。ミラー装置は車両の一部に作動的に取り付けられる第１の骨格支持構造体を有する。支持構造体はその中に装着ブラケットを有する。着脱可能なカバーはブラケット部分にスタイル的な外観を提供するためにブラケット上に取り付けるようになっている。ブラケット部分に取り付けるようになった第２の支持構造体を設ける。第２の支持構造体はミラー組立体をその中で支持する取り付け部を有する。支持組立体は接続構造体を有する。外側の交換可能なカバー部分が設けられ、このカバー部分はミラーに可変のスタイル的な外表面を提供するように支持構造体に交換可能な状態で取り付けられる。
【０００７】
それ故、本発明は、共通の骨格構造を維持しながら、ミラー又はブラケットの外側カバー構造体の交換可能性を許容する。これは、ミラー上又はミラー内に見られる外観及び特徴の特注化を可能にする。ドアへの取り付けのためのデザインに関する特注化はまた交換可能なカバー部分のために実現される。
【０００８】
【好ましい実施の形態の詳細な説明】
装置１０は符号１２、１２ａで全体を示す内側構造部材を有し、これらはミラー支持部分１２及び装着ブラケット１２ａである。符号１４、１４ａで全体を示す外側の交換可能なカバー部材はミラーに対して外側のスタイル的な外観を提供する。カバー部材１４、１４ａは矢印Ａにより全体的に示す第１の方向から構造部材１２、１２ａ上で交換可能であり、従来既知の方法で下方の部材上にスナップ式に嵌合される。好ましい実施の形態は取り付け構造体１２ａ及びミラー支持構造体１２を含む。外観を変更するための交換可能なカバー１６、１８、２０はミラー構造体上に取り付けることができる。代わりに、ドア取り付けカバー２２、２２ａ、２４、２６は、例えば窓の「帆形」部分において、車のドアに取り付けられるミラーの部分の外観を変更するために取り付け部材１２ａに容易に取り付けることができる。従って、所望のオプションに応じて、折り畳み可能なバネ４２及びブッシュ４４素子の如き内部素子を使用することができ、または、モジュラー式のパワー折り畳み機構を交換可能に使用することができる。更に、遠隔制御電気ミラー組立体４６、遠隔制御手動組立体４８、ハードトップ式の調整可能なミラーモジュール組立体又はミラー記憶モジュールの如きミラー調整モジュラー組立体はフレーム部分５０内で交換可能である。符号１８ａ、２０ａで示すようなミラーはカバー１８又は２０にそれぞれ合致するように設けられる。
【０００９】
取り付け部１２ａ又はミラー構造体１２は組立て後にカバーに続く外側の外観表面となるその部分２８又は２８ａを有する。好ましい実施の形態においては、カバーは上方から取り付け構造体及びミラー支持構造体上に置かれ、次いで、カバーの開口が下方の板２８又は２８ａに合致させられ、組立てられたミラー構造体の下方の外表面を形成する。
【００１０】
図から分かるように、外側カバー１６、１８、２０、２２、２４又は２６はすべてそのベースに開口３０又は３０ａを備え、これらの開口はミラーの底上に連続表面を形成するために下方表面２８、２８ａに適合し、カバーは図６に示すように、ベース２８又は２８ａの周辺のまわりに僅かなラインでのみ示す。
【００１１】
ミラー支持取り付け構造体１２は取り付けタブ３２、３４、３６を有する。カバーは垂直な受け入れ構造体３８、４０を有する。図３、４に明示するように、ミラーカバー１８は図３に示すような角度で最初にミラー支持構造体上に施される。タブ３４は受け入れ構造体３８内に配置される。次いで、ミラーカバーを回転させて、タブ３２を受け入れ開口４０に係合させる。その後、開口３０が図４に示すように底板２０に係合するまで、カバーを更に回転させる。次いで、ファスナー７６をカバー１８上の適当なフランジ７４に取り付けるためにタブ３６において挿入し、カバー１８をミラー支持構造体１２に固定する。これは側部でのタブを用いる方法である。ミラーカバーを施すために垂直運動のみが必要となるように、タブを取り付け構造体の頂部に配置できることを容易に認識できよう。同様に、溝固定におけるタング（ｔａｎｇ）即ち舌片内でのラッチの如きスナップ嵌合取り付けも最終固定のために使用できる。
【００１２】
同様に、取り付けカバー２４は取り付け部材１２ａ上で摺動する。取り付け部材１２ａはタング３８を含む。タング３８はカバー２４の内側から延びる「Ｔ」字形状の取り付け突起に係合する溝穴（スロット）をその中に含む。図５に示すように、カバーが取り付け部材１２ａ上で下方へ移動するときに、「Ｔ」字形状は溝内へ滑入する。更に、取り付け部材１２ａは取り付け穴４０を有し、図５に示すように、カバーの下方摺動中に、ファスナーをこれらの取り付け穴に挿入できる。
【００１３】
上述のように、ミラー支持構造体は車両の取り付け部分１２ａへの接続のための接続部分５２を有する。図示のように、これは機械的な折り畳み型式の接続とすることができ、または、固定の取り付けとすることができる。代わりに、パワー折り畳み機構をデザイン内に利用することができる。
【００１４】
更に、丸い開口５０を生じさせる骨格枠組みはミラー調整モジュール（４６又は４８）のための装着位置を提供する。好ましくは、水平のリブ５４、５６、５８及び垂直のリブ６０、６２、６４は枠組み及びその上に位置するカバー１６、１８又は２０を支持するための骨格構造体を提供する。しかし、図１に示す骨格構造体はまた構造支持体のために使用することもできる。図１に示すように、この枠組みはミラー調整モジュールを支持する一対の交差する支持部材６６、６８を含む。一連の３つのカットアウトを備えた水平のリブ７０がベース２８への取り付けのために設けられる。
【００１５】
作動については、応用に応じて、ミラーの外観は所望通りに変更できる。更に、右左折シグナル、フラッドライト、パドルライト、スポットライト、近接センサ、スピーカー、インターホン、マイクロホン、警告灯、温度センサ等のある特性を与える手段が所望ならば、製造中に又はディーラーにおいて後で、これらをミラー２８又はカバーの取り付け部分２８ａ内に組み込み、次いで車両上で交換できる。これらの特徴発揮手段はカバー部分又はその下のフレームのいずれかに装着できる。従って、外観、特徴、色彩及び形状は本発明を使用して容易に特注化できる。
【００１６】
このモジュラーの機能性は種々の特徴形状を許容する。従って、この装置は製造者の一貫した取り付け及び実行を許容し、種々の車両のプラットフォーム上で使用できる。必要なことは、ドア及びミラーの型式に合致するように外側カバーを設計し、所望のオプションを選択するだけである。モジュラー特徴は単純化した設計変更のための低価格小モデルチェンジの機会を許容する。追従すべきプログラム設定機会のための低開発コストが達成される。また、この装置は新たなデザインを始める時間を減少させ、必要な技術及び試験財源を少なくし、加工機械コストを減少させ、資本投資を減少させることができる。従って、ユニークなスタイル、外観及び特徴を与えながら、いくつかの製造及び大量生産上の利点が達成される。
【００１７】
本発明の更なる理解は添付の資料を参照することにより収集できよう。
【図面の簡単な説明】
【図１】本発明のモジュラー式のミラー装置を示す分解部品図である。
【図２】本発明のミラー装置の斜視図である。
【図３】支持体へのミラーカバーの取り付けを示す斜視図である。
【図４】ミラー支持体に取り付けられたミラーカバーを示す斜視図である。
【図５】取り付け支持部材上へのカバーの取り付けを示す斜視図である。
【図６】本発明のミラー組立体の底面図である。
【国際公開パンフレット】
2004503422.tif 000003
2004503422.tif 000004
2004503422.tif 000005
2004503422.tif 000006
2004503422.tif 000007
2004503422.tif 000008
2004503422.tif 000009
2004503422.tif 000010
2004503422.tif 000011
2004503422.tif 000012
2004503422.tif 000013
2004503422.tif 000014
2004503422.tif 000015
2004503422.tif 000016
2004503422.tif 000017
2004503422.tif 000018
【国際調査報告】
2004503422.tif 000019
2004503422.tif 000020
2004503422.tif 000021